(57)【要約】【課題】  焼きばめあるいは圧入によって固定子鉄心に加わる応力を緩和することで、ヨークの応力による鉄損増加を抑制して効率を向上するとともに、固定子鉄心の変形などを抑制した信頼性の高い電動機、およぴこれを搭載した高効率で、信頼性の高い機器を提供することを目的とする。【解決手段】  電動機のスロット１２の外周側に位置するヨーク１５の外周に切欠き部２０を設けることで、前記ヨーク部応力の緩和を行う。更に、接触部１８、１９を等ピッチにすることで加わる応力の均一化し、局部的な応力集中による鉄損増加を防ぐ。また、前記接触部において、接触長を同一にし、両端部にＲ面取りあるいはＣ面取りを設ける。【選択図】  図１
2006262631.tif 000002
【特許請求の範囲】
【請求項１】
環状のヨークと前記ヨークの内周部に配置された複数のティースとを有し、複数の前記ティース間に設けられたスロットを介して巻線を施してなる固定子と、前記固定子の内周に僅かな空隙を介して対向し、回転自在に保持された回転子により構成され、前記固定子鉄心の外周の一部が焼きばめあるいは圧入によってハウジングに保持されている電動機において、前記ヨーク部に複数個の切り欠きを設け、かつ外径のハウジングとの接触部は等ピッチであることを特徴とする電動機。
【請求項２】
固定子鉄心外周のハウジングとの接触部の接触長が全て同一であることを特
徹とする請求項１記載の電動機。
【請求項３】
固定子鉄心の外周のハウジングとの接触部両端にＲ面取り、またはＣ面取りを設けたことを特徴とする請求項１記載または請求項２記載の電動機。
【請求項４】
請求項１から請求項３のいずれか１項に記載の電動機を搭載したことを特徴とした機器。
【発明の詳細な説明】
【技術分野】
【０００１】
本発明は、高効率で、かつ信頼性の高い電動機、およびこれを搭載した高効率で、かつ信頼性の高い機器に関する。
【背景技術】
【０００２】
従来、−般に電動機は、図１２に示すように固定子４０と回転子５０から構成されている。尚、図１２は、ブラシレスモータの例を示している。
【０００３】
固定子４０は、固定子鉄心４１に設けられたティース４２と、スロット４３を有する。ティース４２には、固定子鉄心４１との間に絶縁物（絶縁フィルム、インシュレータ等：図示せず）を介して直接３相巻線４４∪、４４Ｖ、４４Ｗが施されている。
【０００４】
また、固定子鉄心４１は、各ティース間を連結する略環状の∃一ク４５およぴ、固定子鉄心４１の外周には、貫通穴４６を有する。この貫通穴４６は、電動機あるいは機器の種類によって、冷媒通路用穴や風穴など、様々な用途として使用される。
【０００５】
貫通穴４６は、固定子４１の外周側方向に開放されており、固定子４１がハウジング６１に焼きばめあるいは圧入された時、ハウジング６１と固定子鉄心４１との間に形成される。この場合、貫通穴４６の部分はハウジング６１に接触せず、ヨーク４５で固定子鉄心４１をハウジング６１に保持する（例えば、特許文献１参照〉。
【０００６】
また、貫通穴４６の−部が、外周側に開放されていない場合を図１３に示す。この場合、外周方向に開放された貫通穴４６と開放されていない貫通穴４７を有する。それぞれの貫通穴４６およぴ４７の間には、リブ４８が設けられている。リブ４８とハウジング６１とは接触せず、ヨーク４５で固定子鉄心４１をハウジング５１に保持する（例えば、特許文献２参照）。
【０００７】
図１２および図１３は、ともにブラシレスモータであり、回転子５０の構造は同−となる。回転子５０は、固定子４０の内側に、固定子４０と同心円状に、回転自在に保持されており、図１０および図１１における回転子鉄心５１は、永久磁石５２が埋設されている埋め込み磁石型回転子を示している。また、軸孔５３には軸が入る。
回転子５０は固定子４０に施された巻線４４∪，４４Ｖ，４４Ｗに流れる電流による回転磁界によって、シャフトを中心にして回転する。
【特許文献１】特開２００１−７８３７５号公報
【特許文献２】特開２００３−２１９８５号公報
【発明の開示】
【発明が解決しようとする課題】
【０００８】
前記従来の電動機においては、固定子４１をハウジング６１に焼きばめあるいは圧入した場合、ヨーク４５がハウジング６１に保持されることから、∃一ク４５にハウジング６１からの応力が加わり、ヨーク４５における鉄損が増加する問題があった。
【０００９】
また、焼きばめあるいは圧入にて発生した応力により、固定子鉄心４１が変形するなど、信頼性を損なうことがあった。この現象は、固定子鉄心４１とハウジング６１とのシメシロが大きくなればなる程、顕著に表れる。
【００１０】
尚、この課題は、前記従来の電動機として示したブラシレスモータに限らず、焼きばめあるいは圧入によって固定子４０がハウジング６１に対して保持されている電動機に対しては、常に発生する課題であることは明らかである。即ち、ブラシレスモータ以外の誘導電動機、直流電動機などにおいても同様の課題があると言える。
【００１１】
本発明は、前記従来の問題点に鑑み、焼きばめあるいは圧入によって固定子鉄心に加わる応力を緩和することで、ヨークの応力による鉄損増加を抑制して効率を向上するとともに、固定子鉄心の変形などを抑制した信頼性の高い電動機、およぴこれを搭載した高効率で、信頼性の高い機器を提供することを目的とする。
【課題を解決するための手段】
【００１２】
上記課題を解決するために本発明は、スロットの外周側に位置するヨークの外周に切欠き部を設けることで、前記ヨーク部応力の緩和を行う。更に、接触部を等ピッチにすることで加わる応力の均一化し、局部的な応力集中による鉄損増加を防ぐ。また、前記接触部において、接触長を同一にし、両端部にＲ面取りあるいはＣ面取りを設けることで、高効率で、かつ信頼性の高い電動機を得ることができる。
【発明の効果】
【００１３】
本発明の電動機は、環状のヨークと前記ヨークの内周部に配置された複数のティースとを有し、複数の前記ティース間に設けられたスロットを介して巻線を施してなる固定子と、前記固定子の内周に僅かな空隙を介して対向し、回転自在に保持された回転子により構成され、前記固定子鉄心の外周の一部が焼きばめあるいは圧入によってハウジングに保持されている電動機において、前記スロットの外周側に位置する前記ヨークの外周にヨーク外周切欠き部を設け前記ヨーク部応力の緩和を行う。更に、接触部を等ピッチにすることで加わる応力を均一化し、局部的な応力集中による鉄損増加を防ぐ。
【００１４】
また、接触長を同一とすることでさらに応力を均一にし局部的な応力集中による鉄損増加を防ぐ。
【００１５】
また、外周側に位置する前記固定子鉄心の接触部において、前記接触部の外周のうち、回転方向に対する両端部にＲ面取りあるいはＣ面取りをしているもので、前記ヨークに加わる応力が低減されるために、応力による鉄損増加、すなわち電動機の効率低下を抑制可能であることから、高効率で、かつ信頼性の高い電動機を得ることができる。
【００１６】
また、本発明の電動機を搭載したことを特徴とした機器においては、高効率で、かつ信頼性の高い機器を得ることができる。
【発明を実施するための最良の形態】
【００１７】
以下、本発明の実施の形態について図面を参照して説明する。
（実施の形態１）
図１は、本発明の第一の実施例を適応した、集中巻方式のブラシレスモータを示している。図１に示したように、本発明の電動機は、固定子１０と回転子２０からなり、固定子１０は、固定子鉄心１１に設けられたティース１２とスロット１３を有する。ティース１２には、固定子鉄心１１との間に絶縁物（絶縁フィルム、インシュレータ等：図示せず）を介して直接３相巻線１４∪、１４Ｖ、１４Ｗを施す。また、固定子鉄心１１は、各ティース間を連結する略環状のヨーク１５を有する。ティース１２の外周側に設けられた溝１６は、固定子鉄心１１あるいは固定子１０そのものの位置決めを行うなど、製造工程などに利用することができる。
【００１８】
固定子１０がハウジング３０に焼きばめあるいは圧入された際には、接触部１７、１８にて、固定子鉄心１１をハウジング３０に対して保持する。焼きばめあるいは圧入によって加わる応力によって鉄損増加することを防ぐため、特に磁束密度の高いヨーク部に切り欠き１９を設けている。ヨーク外周切欠き部１９によってヨーク１５の径方向幅が小さくなれば、ヨーク１５の磁束密度が増加し、鉄損が増加する、即ち、電動機の効率が低下する。また、ヨーク１５の幅が変わらない場合は、スロット１３の面積が従来よりも小さくなり銅損が増加するために電動機の効率が低下する。したがって、ヨーク外周切欠き部１９の形状を円弧状とし、固定子鉄心１１からハウジング３１に振動が伝達されない最小限の形状とすることが望ましい。このことで、焼きばめあるいは圧入によって、ヨーク１５に加わる応力が低減し、応力による鉄損の増加を抑制することができる上に、スロット１３の面積を十分大きくできるために銅損が低下することはなく、電動機の効率が向上する。望ましくは、切欠き部２０の径方向寸法が１ｍｍ以下であることが良い。また、接触部１７と１８を等ピッチに配置することで、焼きばめあるいは圧入によって加わる応力は均一化され、応力集中による鉄損増加を防ぐことはできる。また、接触部１７と１８の接触長を同一にすれば、さらに応力の均一化が図られ、応力集中による鉄損増加を防ぐことはできる。また、接触部１８と１９の両端にＲ面取りまたはＣ面取りを設けることでさらに応力緩和の効果を高めることができる。
【００１９】
尚、前述の実施例において、集中巻ブラシレスモータを例にしているが、焼きばめあるいは圧入によって固定子鉄心がハウジングに対して保持されている電動機に対しては、常に発生する課題であることは明らかである。即ち、集中巻ブラシレスモータ以外でも、例えば、分布巻ブラシレスモータ、誘導電動機、直流電動機など、あらゆる電動機において本発明が適用できることは明白である。
【００２０】
また、応力による鉄損増加を抑制できることから、電動機の損失において、銅損よりも鉄損が占める割合が大きい程、本発明による効率向上の効果が大きくなる。特に、ティースあるいはヨークの磁束密度が１丁を越えるような場合には、本発明による、電動機の効率向上の効果は大きいといえる。
【産業上の利用可能性】
【００２１】
本発明の電動機は、ルームエアコンおよびカーエアコン用コンプレツサ、その他ステータが圧入またはやきばめで固定される場合に有用である。
【図面の簡単な説明】
【００２２】
【図１】本発明の実施例１における電動機の断面図
【図２】従来の電動機の断面図
【符号の説明】
【００２３】
１０  固定子
１１固定子鉄心
１２  ティース
１３  スロット
１４∪、∨、Ｗ巻線
１５  ヨーク
１６  溝
１７、１８  接触部
１９  切り欠き
２０  回転子
２１固定子鉄心
２２  永久磁石
２３  軸
３０  ハウジング
【図１】
2006262631.tif 000003
【図２】
2006262631.tif 000004